(57)【特許請求の範囲】
【請求項１】
ベッド（１）を中央位置に載置することができ長手方向の長さはベッド（１）の長手方向の長さよりも長く高さは床近で低い基台部（２）と、基台部（２）の足側に設けられ上下動自在に高さ調節することができる足側リフト（３）と、基台部（２）の頭側に設けられ前記足側リフト（３）と連動させることも独立して操作することも可能である上下動自在に高さ調節することができる頭側リフト（４）と、足側リフト（３）と頭側リフト（４）の可動部の左右の４箇所に設置され両リフトの最下位置においてベッド（１）の連結部（５）との連結と切り離しが自在であり連結時にはベッド（１）を上下に移動させて高さ調節することができる連結装置（６）と、基台部（２）中央位置の上方に配され足側と頭側の左右の４箇所に連結装置（６）により連結切り離しが自在である連結部（５）を有し連結装置（６）との連結時には上下に高さ調節することができ連結装置（６）との切り離し時には基台部（２）上に載置される独立構造のベッド（１）と、足側リフト（３）の可動部からベッド（１）より幅広の間隔で頭側方向に向ってベッド（１）の略３分の１の位置まで水平に突出して平行に配され内部が中空状で内面がレール用ガイドであり足側リフト（３）と連動して上下する左右２本の足側アーム（７）と、左右の足側アーム（７）の内部にスライド自在に保持され左右連動して頭方向へスライドさせることができる左右２本の足側レール（８）と、左右の足側レール（８）の頭側の先端から足方向に折返して足側アーム（７）の外側と平行するよう形成され足側レール（８）と連動してスライドする左右２本の足側取付アーム（９）と、左右の足側取付アーム（９）に取付けられ左右独立して操作することができ外側に回転させることにより足側ネット（１０）を巻き取り内側に回転させることにより足側ネット（１０）を緩めることができる足側ネット巻取ドラム（１１）を有した左右２個の足側ネット巻取装置（１２）と、両横端が左右の足側ネット巻取ドラム（１１）に着脱自在に固定され左右の足側ネット巻取ドラム（１１）の間隔よりも横幅が長く形成され左右の足側ネット巻取ドラム（１１）を調節し外側に回転させてきつく張らせることも内側に回転させて緩めることもでき中間部分はベッド（１）と人体下部の間に配されてベッド（１）上面を覆うことも人体下部を持ち上げることもできる１枚の足側ネット（１０）と、頭側リフト（４）の可動部からベッド（１）より幅広の間隔で足側方向に向ってベッド（１）の略３分の１の位置まで水平に突出して平行に配され内部が中空状で内面がレール用ガイドであり頭側リフト（４）と連動して上下する左右２本の頭側アーム（１３）と、左右の頭側アーム（１３）の内部にスライド自在に保持され左右連動して足方向にスライドさせることができる左右２本の頭側レール（１４）と、左右の頭側レール（１４）の足側部分に一端が角度自在に軸留されその軸（１５）周辺の下回りには軸（１５）からの頭側の距離が長く足側の距離が短い円弧状のカム溝（１６）が形成され前記軸（１５）を中心にして略垂直角度から頭方向に頭側アーム（１３）の外側と平行するよう折畳まれた状態となる水平まで左右連動して角度調節することができる左右２本の頭側取付アーム（１７）と、左右の頭側アーム（１３）に頭側方向部分を固定し足側方向部分の足側方向に突出させた先端にカムローラー（１８）を設け前記軸（１５）から見て頭方向の位置でカムローラー（１８）を前記カム溝（１６）に装着させ前記軸留めされた頭側レール（１４）と頭側取付アーム（１７）の角度を大きくするほどカム溝（１６）が回転しカムローラー（１８）と軸（１５）との距離が短くなりその分の距離だけ頭側レール（１４）を頭側方向に自動的にスライドさせる左右２個のカムローラー固定バー（１９）と、左右の頭側取付アーム（１７）に取付けられ左右独立して操作することができ外側に回転させることにより頭側ネット（２０）を巻き取り内側に回転させることにより頭側ネット（２０）を緩めることができる頭側ネット巻取ドラム（２１）を有した左右２個の頭側ネット巻取装置（２２）と、両横端が左右の頭側ネット巻取ドラム（２１）に着脱自在に固定され左右の頭側ネット巻取ドラム（２１）の間隔よりも横幅が長く形成され左右の頭側ネット巻取ドラム（２１）を左右独立して調節し外側に回転させてきつく張らせることも内側に回転させて緩めることもでき中間部分はベッド（１）と人体上部の間に配されベッド（１）上面を覆うことも人体上部を持ち上げることも人体上部を背起しすることもできる１枚の頭側ネット（２０）とから構成されたことを特徴とする介護用ベッド。
【請求項２】
左右２個のカムローラー固定バー（１９）の頭側方向部分を左右の頭側アーム（１３）に固定する位置が前後方向に調節可能であり、それにより頭側ネット（２０）で人体上部を背起しする位置を前後に調節可能であることを特徴とする請求項１記載の介護用ベッド。
【発明の詳細な説明】
【０００１】
【産業上の利用分野】
本発明は、マットや布団等の寝床の交換、人体上部の背起し、寝返り体位変換、ベッドの高さ調節、高さ調節可能なハンモック、人体下部と人体上部の高さ調節、椅子座姿勢変換ができる介護用ベッドに関するものである。
【０００２】
【従来の技術】
従来、本願出願人が平成６年５月２０日に出願した平成６年特許願第１４０６５０号の「療養用ベッド」があり、特許請求の範囲の請求項１には「床台（１）と、シリンダー（２）又はモーター等の動力で床台（１）以上の高さ調節可能に床台（１）の足方と頭方に配された２つの可動部（３）と、マット又は布団等の寝床（４）を上面に敷き頭方と足方の左右に固定孔（５）を有し床台（１）中央に位置する独立構造のベッド台（６）と、足方の可動部（３）にベッド台（６）より幅広の左右に頭方に向い突出して配された足方アーム（７）と、左右の足方アーム（７）の全体又は腰の部分を除く等の所要範囲に着脱自在に張って配されたフレキシブルで通気性のよいメッシュ状又は布状の下肢支持部材（８）と、頭方の可動部（３）にベッド台（６）より幅広の左右に足方に向い突出して配された頭方アーム（９）と、左右の頭方アーム（９）に配されシリンダー（２）又はモーター等の動力で角度調節可能な左右の背もたれアーム（１０）と、左右の背もたれアーム（１０）の全体又は腰の部分を除く等の所要範囲に着脱自在に張って配されたフレキシブルで通気性のよいメッシュ状又は布状の上体支持部材（１１）と、足方アーム（７）と頭方アーム（９）の左右に配されて固定孔（５）を介しベッド台（６）を固定解除可能なノックピン等の固定装置（１２）とから成り、固定装置（１２）により左右の足方アーム（７）と頭方アーム（９）の間にベッド台（６）を固定したときに下肢支持部材（８）と上体支持部材（１１）が寝床（４）の上面を覆うよう配されたことを特徴とする療養用ベッド。」とある。
【０００３】
【発明が解決しようとする課題】
上記した「療養ベッド」には５つの問題点があった。第１は、ハンモック状態にする場合、「下肢支持部材」と「上体支持部材」との間に腰が入るほどの空間が設けられているため、ハンモックにしたときにこの間から腰がズリ落ちてしまうことがある。苦しい姿勢になるばかりでなく、落下する危険がある。このような構造であるため、長時間のハンモック状態はできなかった。
【０００４】
第２は、背起しする場合、「背もたれアーム」の角度調節は固定された軸を中心におこなわれるため、「上体支持部材」の傾斜が大きくなるにつれて人体上部（特に背中と腰）を強く前方に押し出す形となり、その結果、座姿勢になりつつ体全体がズルズルと前に移動してしまう。逆に、その状態から「背もたれアーム」の角度を元に戻し「上体支持部材」の傾斜を小さくする背倒しの場合、体を移動した位置に残したまま、「上体支持部材」は体から離れつつ寝姿勢になる。自分では動けない患者は寝る位置を元に戻すことができないため、介護人が患者の体を頭方向に動かさなくてはならなくなる。
【０００５】
第３は、体形や体調によって背持たれの位置を前後に変えたい場合でも、「頭方アーム」と「背もたれアーム」と「上体支持部材」の位置関係が固定的であるため、背起しする位置を調節することができなかった。
【０００６】
第４は、ハンモック時や背起し時に、「下肢支持部材」と「上体支持部材」の張具合を変えたい場合でも、「下肢支持部材」は「足方アーム」に「上体支持部材」は「背起しアーム」に直接それぞれ着脱自在に固定されているため、きつく張ったり緩めたりの調節を自在にすることはできなかった。「下肢支持部材」と「上体支持部材」の張具合を変えるには、固定するときにあらかじめ長さを調節する以外なかった。
【０００７】
第５は、普段の仰向け状態から横向きの体位に変換する場合、普通とまったく同じ作業が必要であり、介護人にとっては体を傷めるリスクを伴うほどの重労働である。
【０００８】
本願発明は、上記した従来の介護用ベッドの問題を全て解決した介護用ベッドを提供することを目的とするものである。
【０００９】
【課題を解決するための手段】
この発明は、ベッドを中央位置に載置することができ長手方向の長さはベッドの長手方向の長さよりも長く高さは床近で低い基台部と、基台部の足側に設けられ上下動自在に高さ調節することができる足側リフトと、基台部の頭側に設けられ前記足側リフトと連動させることも独立して操作することも可能である上下動自在に高さ調節することができる頭側リフトと、足側リフトと頭側リフトの可動部の左右の４箇所に設置され両リフトの最下位置においてベッドの連結部との連結と切り離しが自在であり連結時にはベッドを上下に移動させて高さ調節することができる連結装置と、基台部中央位置の上方に配され足側と頭側の左右の４箇所に連結装置により連結切り離しが自在である連結部を有し連結装置との連結時には上下に高さ調節することができ連結装置との切り離し時には基台部上に載置される独立構造のベッドと、足側リフトの可動部からベッドより幅広の間隔で頭側方向に向ってベッドの略３分の１の位置まで水平に突出して平行に配され内部が中空状で内面がレール用ガイドであり足側リフトと連動して上下する左右２本の足側アームと、左右の足側アームの内部にスライド自在に保持され左右連動して頭方向へスライドさせることができる左右２本の足側レールと、左右の足側レールの頭側の先端から足方向に折返して足側アームの外側と平行するよう形成され足側レールと連動してスライドする左右２本の足側取付アームと、左右の足側取付アームに取付けられ左右独立して操作することができ外側に回転させることにより足側ネットを巻き取り内側に回転させることにより足側ネットを緩めることができる足側ネット巻取ドラムを有した左右２個の足側ネット巻取装置と、両横端が左右の足側ネット巻取ドラムに着脱自在に固定され左右の足側ネット巻取ドラムの間隔よりも横幅が長く形成され左右の足側ネット巻取ドラムを調節し外側に回転させてきつく張らせることも内側に回転させて緩めることもでき中間部分はベッドと人体下部の間に配されてベッド上面を覆うことも人体下部を持ち上げることもできる１枚の足側ネットと、頭側リフトの可動部からベッドより幅広の間隔で足側方向に向ってベッドの略３分の１の位置まで水平に突出して平行に配され内部が中空状で内面がレール用ガイドであり頭側リフトと連動して上下する左右２本の頭側アームと、左右の頭側アームの内部にスライド自在に保持され左右連動して足方向にスライドさせることができる左右２本の頭側レールと、左右の頭側レールの足側部分に一端が角度自在に軸留されその軸周辺の下回りには軸からの頭側の距離が長く足側の距離が短い円弧状のカム溝が形成され前記軸を中心にして略垂直角度から頭方向に頭側アームの外側と平行するよう折畳まれた状態となる水平まで左右連動して角度調節することができる左右２本の頭側取付アームと、左右の頭側アームに頭側方向部分を固定し足側方向部分の足側方向に突出させた先端にカムローラーを設け前記軸から見て頭方向の位置でカムローラーを前記カム溝に装着させ前記軸留めされた頭側レールと頭側取付アームの角度を大きくするほどカム溝が回転しカムローラーと軸との距離が短くなりその分の距離だけ頭側レールを頭側方向に自動的にスライドさせる左右２個のカムローラー固定バーと、左右の頭側取付アームに取付けられ左右独立して操作することができ外側に回転させることにより頭側ネットを巻き取り内側に回転させることにより頭側ネットを緩めることができる頭側ネット巻取ドラムを有した左右２個の頭側ネット巻取装置と、両横端が左右の頭側ネット巻取ドラムに着脱自在に固定され左右の頭側ネット巻取ドラムの間隔よりも横幅が長く形成され左右の頭側ネット巻取ドラムを左右独立して調節し外側に回転させてきつく張らせることも内側に回転させて緩めることもでき中間部分はベッドと人体上部の間に配されベッド上面を覆うことも人体上部を持ち上げることも人体上部を背起しすることもできる１枚の頭側ネットとから構成されたことを特徴とする介護用ベッドに関するものである。
【００１０】
この発明は、左右２個のカムローラー固定バーの頭側方向部分を左右の頭側アームに固定する位置が前後方向に調節可能であり、それにより頭側ネットで人体上部を背起しする位置を前後に調節可能であることを特徴とする上記の介護用ベッドに関するものである。
【００１２】
上記介護用ベッドの高さ調節は、４個の連結装置で足側リフトと頭側リフトをベッドに連結し（図４（Ａ）（Ｂ）参照）、ベッドの足側と頭側を連動させて上下方向に移動させることで可能である（図６、図１０（Ａ）（Ｂ）（Ｃ）参照）。
【００１３】
人体上部の背起しは、頭側レールに対する頭側取付アームの角度を大きくするほどカムローラーで固定されているカム溝の位置と頭側レールに軸留めしている軸との距離が短くなり、その分の距離だけ頭側レールが頭側方向に自動的にスライドすることにより、頭側ネットを頭方向にスライドさせつつの背起しとなるため、背起し時に体が前方に押し出されることはない（図１（Ａ）、図２参照）。逆に、頭側レールに対する頭側取付アームの角度を小さくするほどカムローラーで固定されているカム溝の位置と頭側レールに軸留めしている軸との距離が長くなり、その分の距離だけ頭側レールが足側方向に自動的にスライドすることにより、頭側ネットを足方向にスライドさせつつの背倒しとなるため、背倒し時に体と頭側ネットが離れてしまうことはない。
【００１４】
人体をベッド上方へ持ち上げてハンモック状態にするには、ベッドとの連結を切り離した足側リフトと頭側リフトを操作し、足側ネットで人体下部を支持し頭側ネットで人体上部を支持して持ち上げることができる（図７、図８参照）。また、ハンモック状態で、足側リフトと頭側リフトを独立して操作することにより、足側ネットと頭側ネットの高さを別々に調節することもできる。足側ネットと頭側ネットの間隔は、体格や体力や体調によって調節する。
【００１５】
足側ネットと頭側ネットの間隔は、足側レールと連動してスライドする足側ネットの移動により調節可能であり、間隔を狭めることで腰を足側ネットで支持することもできるし（図７参照）、間隔を開けて腰周りの空間をフリーにすることもできる（図８参照）。
【００１６】
ベッドの上で椅子又はトイレに座るには、まず足側ネットと頭側ネットの間隔を調節してベッドを基台部に載置して連結装置を切り離し（図１（Ａ）（Ｂ）参照）、つぎにベッドの上方でハンモック状態に人体を支持し（図７、図８参照）、つぎにベッドの上に椅子又はトイレを設置し、つぎに腰が椅子又はトイレに載るまで足側ネットと頭側ネットを下げ、つぎに足側ネットと頭側ネットの間隔が狭くて椅子又はトイレにかかる場合は足側方向にスライドさせて頭側ネットとの間隔を開き、つぎに頭側ネットで背起しし、つぎに足側ネットをベッド表面まで下すことで、椅座姿勢にすることができる（図９参照）。この逆の操作をすれば普段のベッドに戻すことができる。足側ネットと頭側ネットの間隔は、体格や体力や体調によって調節する。
【００１７】
ハンモック時や背起し時などに足側ネットや頭側ネットの張具合を自在に調節するには、足側巻取ドラムや頭側巻取ドラムを外側に回転させればきつく張らせることができるし（図１４（Ａ）参照）、内側に回転させれば緩ませることができる（図１４（Ｂ）参照）。
【００１８】
背持たれの前後方向の位置は、左右のカムローラー固定バーの頭側アームに固定する位置を前後に変更することにより、頭側ネットで人体上部を背起しする位置を前後に調節できる（後側位置は図１（Ａ）と図２参照。前側位置は図１１（Ａ）（Ｂ）参照。）。背持たれの前後方向の位置は、体格や体力や体調によって調節できる。
【００１９】
右か左に寝返り体位変換させるには、まず足側ネットと頭側ネットの間隔を調節してきつく張った状態で（図１２（Ａ）参照）ベッドの上方へ人体をハンモック状に持ち上げ（図７、図８、図１２（Ｂ）参照）、つぎにベッドの上に長い枕状クッションを縦向きに設置し（図１２（Ｂ）参照）、つぎに長い枕状クッションに人体が接するまで下し（図１２（Ｃ）参照）、寝返りさせたい側の足側ネット巻取ドラムと頭側ネット巻取ドラムだけを内側に回転させて寝返りさせたい側の足側ネットと頭側ネットを緩めることにより人体を横向きに寝返りさせることができる（図１２（Ｄ）参照）。さいごに、長い枕状クッションを取り除いて終了する。
【００２０】
背起こし、着替え、椅子やトイレの使用、寝返り体位変換などをしても、足側ネットと頭側ネットがベッド表面を覆うか患者を支持して浮かしているので、シーツ等が乱れることはない。
【００２１】
【実施例】
添付図面に基づいて本発明の一実施例を説明するが、この実施例にのみ限定されるべきものでないことは云うまでもない。
【００２２】
本発明の介護用ベッドは、基台部２とベット１と足側リフト３と足側アーム７と足側レール８と足側取付アーム９と足側ネット巻取装置１２と足側ネット１０と頭側リフト３と頭側アーム１３と頭側レール１４と軸１５と頭側取付アーム１７とカムローラー１８とカムローラー固定バー１９と頭側ネット巻取装置２２と頭側ネット２０とから構成されている。
【００２３】
図中２は、長方形の枠構造をした基台部である。基台部２は、床に近い高さであり低い。図中１は、基台部２の中央位置に載置可能な独立構造のベッドである。ベッド１の頭側と足側の左右４箇所には、連結部５が設けられている。基台部２の縦は、ベッドよりも長い。
【００２４】
図中３は、基台部２の足側の端に設けられ上下動自在に高さ調節が可能である足側リフトである。図中４は、基台部２の頭側の端に設けられた頭側リフトである。動力は特定しないが、本実施例では、足側と頭側のリフトのカバー２４内に設置されたリフト用モーターを用いている。
【００２５】
図中６は、足側リフト３と頭側リフト４の可動部の左右の４箇所に設置されベッド１の連結部５に連結させることのできる連結装置である。本実施例では連結ピンで連結部５を固定する構造をしているが、これ以外の装置でも構わない。
【００２６】
図中７は、足側リフト３の可動部からベッド１より幅広の間隔で頭側方向に向ってベッド１の略３分の１の位置まで水平に突出して平行に配され、内部が中空状で内面がレール用ガイドであり、足側リフト３と連動して上下する左右２本の足側アームである。図中８は、左右の足側アーム７の内部にスライド自在に保持され左右連動して頭方向へスライド可能である左右２本の足側レールである。図中９は、左右の足側レール８の頭側の先端から足方向に折返して足側アーム７の外側と平行するよう一体的に形成され、足側レール８と連動してスライドする左右２本の足側取付アームである。スライドさせる動力は特定しないが、本実施例では、足側のリフトのカバー２４内に設置されているスライド用モーターを用いている。
【００２７】
図中１２は、左右の足側取付アーム９に取付けられた左右２個の足側ネット巻取装置である。足側ネット巻取装置１２は、足側ネット巻取ドラム１１を有している。図中１０は、両横端が左右の足側ネット巻取ドラム１１に着脱自在に固定された足側ネットである。足側ネット１０は、左右の足側ネット巻取ドラム１１の間隔よりも横幅が長く形成されている。足側ネット巻取ドラム１１を、外側に回転させると足側ネット１０を巻き取り、内側に回転させると足側ネット１０が緩む。足側ネット巻取装置１２は、左右独立して操作することができる。動力は特定しない。図１２と図１４には、足側ネット巻取装置１２の断面があらわされている。
【００２８】
図中６は、足側リフト３と頭側リフト４の可動部の左右の４箇所に設置されベッド１の連結部５に連結させることのできる連結装置である。本実施例では連結ピンで連結部５を固定する構造をしているが、これ以外の装置でも構わない。
【００２９】
図中１３は、頭側リフト４の可動部からベッド１より幅広の間隔で足側方向に向ってベッド１の略３分の１の位置まで水平に突出して平行に配され、内部が中空状で内面がレール用ガイドであり、頭側リフト４と連動して上下する左右２本の頭側アームである。図中１４は、左右の頭側アーム１３の内部にスライド自在に保持され左右連動して足方向のスライドが可能である左右２本の頭側レールである。図中１７は、左右の頭側レール１４の足側部分に一端が角度自在に軸１５で軸留され、その軸１５周辺の下回りには軸１５からの頭側の距離が長く足側の距離が短い円弧状のカム溝１６が形成され、前記軸１５を中心にして略垂直角度から頭方向に頭側アーム１３の外側と平行するよう折畳まれた状態となる水平まで左右連動して角度調節可能である左右２本の頭側取付アームである。図中１９は、左右の頭側アーム１３に頭側方向部分を固定し、足側方向部分の足側方向に突出させた先端にはカムローラー１８を設け、前記軸１５から見て頭方向の位置でカムローラー１８を前記カム溝１６に装着させた左右２個のカムローラー固定バーである。頭側取付アーム１７の傾斜角度を大きくするにつれて、カム溝１６は軸１５を中心に回転し、カムローラー１８はカム溝１６をなぞり、カム溝１６と軸１５との距離が段々短くなり、その差を生じた長さは頭側レール１４が頭側アーム１３内にスライドすることで吸収する。逆に、頭側取付アーム１７の傾斜角度を小さくするにつれて、カム溝１６は軸１５を中心に回転し、カムローラー１８はカム溝１６をなぞり、カム溝１６と軸１５との距離が段々長くなり、その差を生じた長さは頭側レール１４が足側方向にスライドすることで吸収する。頭側取付アーム１７の傾斜角度を調節する動力は特定しないが、本実施例では、頭側のリフトのカバー２４内に設置されている背起し用モーターを用いて、図３（Ａ）（Ｂ）に示すようなウォームギア２５を回転させる構造になっている。また、本実施例の介護用ベッドは、左右のカムローラー固定バー１９の頭側アーム１３に固定する位置を前後に変更できる構造である。
【００３０】
図中２２は、左右の頭側取付アーム１７に取付けられた左右２個の頭側ネット巻取装置である。頭側ネット巻取装置２２は、頭側ネット巻取ドラム２１を有している。図中２０は、両横端が左右の頭側ネット巻取ドラム２１に着脱自在に固定された頭側ネットである。頭側ネット２０は、左右の頭側ネット巻取ドラム２１の間隔よりも横幅が長く形成されている。頭側ネット巻取ドラム２１を、外側に回転させると頭側ネット２０を巻き取り、内側に回転させるト頭側ネット２０が緩む。足側ネット巻取装置２２は、左右独立して操作することができる。動力は特定しない。足側ネット巻取装置２２の断面構造は、図１２と図１４に示された足側ネット巻取装置の断面と基本的に同じである。
【００３１】
図１２は、寝返り体位変換の一実施例をあらわし、頭側から見た人体の腰あたりの端面図である。全図において人体は破線であらわされている。本実施例は仰向け状態から右側に寝返り体位変換した状態を示すが、これのみに限定されるものではなくあらゆる体位変換が可能である。右に寝返り体位変換させるには、まず足側レール８をスライドさせて足側ネット１０と頭側ネット２０の間隔を調節して左右にきつく張った状態で（図１２（Ａ）参照）足側リフト３と頭側リフト４でベッド１の上方へ人体をハンモック状に持ち上げる（図７、図８、図１２（Ｂ）参照）。つぎにベッド１の上に長い枕状クッション２３を縦向きに設置する（図１２（Ｂ）参照）。つぎに長い枕状クッション２３に人体が接するまで下す（図１２（Ｃ）参照）。つぎに寝返りする右側の足側ネット巻取ドラム１１と頭側ネット巻取ドラム２１だけを内側に回転させて右側の足側ネット１０と頭側ネット２０を緩めることにより人体を右横向きに寝返りさせることができる（図１２（Ｄ）、図１３参照）。さいごに、長い枕状クッション２３を取り除いて終了する。長い枕状クッション２３は、本実施例ではエアークッションを用いたが、抱き枕のようなクッションや、布団を巻いたものでもよく、長さや大きさも体位変換に利用できるものであれば何でも構わない。
【００３２】
【発明の効果】
以上説明した本発明に係る介護用ベッドによればつぎのような効果がある。
【００３３】
ベッドの高さ調節は、４個の連結装置で足側リフトと頭側リフトをベッドに連結し、ベッドの足側と頭側を同時に上下方向に移動させることで可能である。
【００３４】
人体上部の背起しは、頭側レールに対する頭側取付アームの角度を大きくするほどカムローラーで固定されているカム溝の位置と頭側レールに軸留めしている軸との距離が短くなり、その分の距離だけ頭側レールが頭側方向に自動的にスライドすることにより、頭側ネットを頭方向にスライドさせつつの背起しとなるため、背起し時に体が前方に押し出されることはない。逆に、頭側レールに対する頭側取付アームの角度を小さくするほどカムローラーで固定されているカム溝の位置と頭側レールに軸留めしている軸との距離が長くなり、その分の距離だけ頭側レールが足側方向に自動的にスライドすることにより、頭側ネットを足方向にスライドさせつつの背倒しとなるため、背倒し時に体と頭側ネットが離れてしまうことはない。
【００３５】
人体をベッド上方へ持ち上げてハンモック状態にするには、ベッドとの連結を切り離した足側リフトと頭側リフトを操作し、足側ネットで人体下部を支持し頭側ネットで人体上部を支持して持ち上げることができる。また、ハンモック状態で足側ネットと頭側ネットの高さを別々に調節することもできる。
【００３６】
足側ネットと頭側ネットの間隔は、足側レールと連動してスライドする足側ネットの移動により調節可能であり、間隔を狭めることで腰を足側ネットで支持し腰が落ないようにすることもできるし、間隔を開けて腰周りの空間をフリーにして様々な介護作業がしやすくすることもできる。
【００３７】
ベッドの上で椅子又はトイレに座るには、まず足側ネットと頭側ネットの間隔を調節して左右にきつく張りベッドを基台部に載置して連結装置を切り離し、つぎにベッドの上方でハンモック状態に人体を支持し、つぎにベッドの上に椅子又はトイレを設置し、つぎに腰が椅子又はトイレに載るまで足側ネットと頭側ネットを下げ、つぎに足側ネットが椅子又はトイレにかかる場合は足側ネットをスライドさせて頭側ネットとの間隔を開き、つぎに頭側ネットで背起しし、つぎに足側ネットをベッド表面まで下すことで、椅座姿勢にすることができる。この逆の操作をすれば普段のベッドに戻すことができる。
【００３８】
ハンモック時や背起し時などに足側ネットや頭側ネットの張具合を自在に調節するには、足側巻取ドラムや頭側巻取ドラムを外側に回転させればきつく張らせることができるし、内側に回転させれば緩ませることができる。
【００３９】
背持たれの前後方向の位置は、左右のカムローラー固定バーの頭側アームに固定する位置を前後に変更することにより、頭側ネットで人体上部を背起しする位置を前後に調節できる。
【００４０】
右か左に寝返り体位変換させるには、まず足側ネットと頭側ネットの間隔を調節して左右にきつく張った状態でベッドの上方へ人体をハンモック状に持ち上げ、つぎにベッドの上に長い枕状クッションを縦向きに設置し、つぎに長い枕状クッションに人体が接するまで下し、寝返りさせたい側の足側ネット巻取ドラムと頭側ネット巻取ドラムだけを内側に回転させて寝返りさせたい側の足側ネットと頭側ネットを緩めることにより人体を横向きに寝返りさせることができる。
【００４１】
背起こし、着替え、椅子やトイレの使用、寝返り体位変換などをしても、足側ネットと頭側ネットがベッド表面を覆うか患者を支持して浮かしているので、シーツ等が乱れることはない。
【図面の簡単な説明】
【図１】本発明に関わる介護用ベッドの一実施例をあらわし、（Ａ）は側面図、（Ｂ）は平面図である。
【図２】本発明に関わる介護用ベッドの一実施例をあらわす側面図である。
【図３】（Ａ）と（Ｂ）はカム溝とカムローラーとカムローラー固定バーを省略した背起し部分の内部構造をあらわす断面図である。
【図４】本発明に関わる介護用ベッドの一実施例をあらわし、（Ａ）は側面図、（Ｂ）は平面図である。
【図５】（Ａ）と（Ｂ）は足側レールと足側取付アームのスライドをあらわす断面図である。
【図６】本発明に関わる介護用ベッドの一実施例をあらわす側面図である。
【図７】本発明に関わる介護用ベットの一実施例をあらわす側面図である。
【図８】本発明に関わる介護用ベッドの一実施例をあらわす側面図である。
【図９】本発明に関わる介護用ベッドの一実施例をあらわす側面図である。
【図１０】（Ａ）（Ｂ）（Ｃ）は本発明に関わる介護用ベッドの一実施例をあらわす足側から見た正面図である。
【図１１】（Ａ）（Ｂ）は背起し位置を足側方向に調節した状態をあらわす側面図である。
【図１２】（Ａ）（Ｂ）（Ｃ）（Ｄ）は頭側から見た腰あたりの端面をあらわし、寝返り体位変換をあらわした説明図である。
【図１３】寝返り体位変換時をあらわす平面図である。
【図１４】（Ａ）（Ｂ）は足側ネット巻取装置の、足側ネットと足側ネット巻取ドラムをあらわす説明図である。
【符号の説明】
１ ベッド
２ 基台部
３ 足側リフト
４ 頭側リフト
５ 連結部
６ 連結装置
７ 足側アーム
８ 足側レール
９ 足側取付アーム
１０ 足側ネット
１１ 足側ネット巻取ドラム
１２ 足側ネット巻取装置
１３ 頭側アーム
１４ 頭側レール
１５ 軸
１６ カム溝
１７ 頭側取付アーム
１８ カムローラー
１９ カムローラー固定バー
２０ 頭側ネット
２１ 頭側ネット巻取ドラム
２２ 頭側ネット巻取装置
２３ 長い枕状クッション
【図１】
0004210721.tif 000002
【図２】
0004210721.tif 000003
【図３】
0004210721.tif 000004
【図４】
0004210721.tif 000005
【図５】
0004210721.tif 000006
【図６】
0004210721.tif 000007
【図７】
0004210721.tif 000008
【図８】
0004210721.tif 000009
【図９】
0004210721.tif 000010
【図１０】
0004210721.tif 000011
【図１１】
0004210721.tif 000012
【図１２】
0004210721.tif 000013
【図１３】
0004210721.tif 000014
【図１４】
0004210721.tif 000015